(57)【特許請求の範囲】
【請求項１】
平らな前面と凹凸部を有するように加工された後面とを備えている再帰反射体において、
前記後面の凹凸部が、相互に垂直で一点を共通の頂点とする三つの三角形の連続的な配列及び前記三つの三角形の縁部のうち、互いに共有されない縁部の少なくとも一つ以上に沿って配列された線状の三角プリズムを含む再帰反射体。
【請求項２】
前記三つの三角形の縁部のうち、互いに共有されない縁部が、同一面または非同一面に存在する請求項１に記載の再帰反射体。
【請求項３】
前記再帰反射体の屈折率が１．４〜１．７である物質からなる請求項１または請求項２に記載の再帰反射体。
【請求項４】
前記共通の頂点から三つの三角形と同一の角度をなし前記再帰反射体の前面に向って延長された軸が、前記再帰反射体の前面に垂直である軸と−１５゜〜１５゜をなす請求項１または請求項２に記載の再帰反射体。
【請求項５】
前記線状の三角プリズムが前記三つの三角形の縁部のうち、互いに共有されない縁部の少なくとも一つ以上に沿って配列され、一つの縁部に対して少なくとも一つ以上の線状の三角プリズムが配列される請求項１または請求項２に記載の再帰反射体。
【請求項６】
前記三つの三角形の縁部のうち、互いに共有されない縁部が、互いに異なる長さを有する請求項１または請求項２に記載の再帰反射体。
【発明の詳細な説明】
【０００１】
【発明の属する技術分野】
本発明は、再帰反射体に関し、より詳しくは、平らな前面と凹凸部を有するように加工された後面とを備えており、前記後面の凹凸部は、相互に垂直で一点を共通の頂点とする三つの三角形の連続的な配列及び前記三つの三角形の縁部のうちの互いに共有されない縁部の少なくとも一つ以上に沿って配列された線状の三角プリズムを含むことにより、優れた再帰反射性能及びより広いアンギュラリティ（ａｎｇｕｌａｒｉｔｙ）が方向に拘らずに得られる再帰反射体に関する。
【０００２】
【従来の技術】
再帰反射体は、装飾用材料、安全のための反射テープ、反射ベルト、道路表示板、警告用反射板等に広く用いられる製品である。再帰反射体は、入射する光を入射方向の反対方向に反射させる再帰反射の原理を利用し、このような再帰反射は、キューブコーナー（ｃｕｂｅ−ｃｏｒｎｅｒ）での相互に直角をなす三つの側面で光が内部全反射されることによって起こる。
【０００３】
一般に、再帰反射体は、ガラスまたはＰＭＭＡ（ｐｏｌｙｍｅｔｈｙｌ  ｍｅｔａｃｒｙｌａｔｅ）のような光学的に透明な材質からなり、シート形態に製作されてシートの一面上にキューブコーナーが連続的に配列した形状に加工されている。
【０００４】
キューブコーナーは、立方体のコーナー部分を切断した時に生じる三角錐を考えれば容易に理解される。キューブコーナーの基本的な構造は、三つの側面が互いに直角をなし底面は三角形である三角錐の構造であり、再帰反射体の一面の基本的な構造は、このような三角錐が連続的に配列された構造からなる。
特に、底面が正三角形である正三角錐１の形を有するキューブコーナーが一つの面上に連続的に配列されるように加工された再帰反射体の平面図が、図１に図示されている。
【０００５】
キューブコーナーの光軸は、錐の頂点から三つの側面に対して同一の角度をなして底面まで達する線として定義される。また、再帰反射シートに垂直な方向を正面方向と定義し、この正面方向に入射した光に対しては、再帰反射性能がよい。その反面、正面方向からある一定の角度以上外れた角度で入射する光は、三角錐の三つの側面での内部全反射条件を満たさないため再帰反射が乏しい。
【０００６】
このように、正面方向に対して所定の角度で入射した光に対する再帰反射性能を再帰反射体のアンギュラリティ（ａｎｇｕｌａｒｉｔｙ）といい、一般に広いアンギュラリティを有するものが好まれる。実際に、道路表示板用の再帰反射体については、正面及び３０゜での再帰反射性能を法規上で規制している。
【０００７】
しかし、図１に示されているような正三角錐１からなる再帰反射体は、非常に狭いアンギュラリティを有する。図２は、図１に示された再帰反射体で正面方向から０〜４０゜の傾斜をなす角度で入射した光に対する再帰反射性能を測定した結果を示すグラフであって、正面方向に入射した場合の再帰反射性能を最大値として、百分率で示したものである。図２に示されているように、図１のような正三角錐１の形を有するキューブコーナーからなる基本的な再帰反射体は、正面から約２０゜まではある程度均一な再帰反射性能が確保され、その再帰反射性能が入射角の方向に拘らず得られる好ましい性能を示す。しかし、材料の屈折率によって多少差が出るが、約２０〜３０゜以上の入射角に対しては、再帰反射性能が急激に低下する短所がある。
【０００８】
従って、再帰反射体がより広いアンギュラリティを有するようにするために、再帰反射シートの一面に配列された正三角錐の形状を変形させる。これは、キューブコーナーの光軸を特定方向に傾けることによって、底面である正三角形を二等辺または不等辺三角形に変形させたものであって、キューブコーナーの光軸を特定方向に傾けると再帰反射性能が正面では減少し特定方向では向上する。
【０００９】
光軸を傾けることによって、既存の正三角錐構造に比べて向上した再帰反射性能を得る方法が米国特許第４５８８２５８号に開示されている。米国特許第４５８８２５８号による再帰反射体の平面図が図３に図示されており、ここではキューブコーナーの光軸を約７゜乃至１３゜傾けることによって、再帰反射シートの面内で互いに垂直な二つの方向に選んだＸ及びＹ方向に対して３０゜以上の入射角での再帰反射性能が向上する。
【００１０】
図３に示された再帰反射体をなしているキューブコーナーの光軸の傾きを示すために、図３での１１ａ及び１１ｂに沿って切断した断面図が、各々図４ａ及び図４ｂに示されている。図４ａ及び図４ｂに示されているように、光軸ｘは、再帰反射シートの正面方向ｆに対して傾き角を有するようになる。
【００１１】
このような光軸の傾きを有するキューブコーナーからなる再帰反射体の再帰反射性能を、電算機でシミュレートした結果が図５に示されている。図５は、等光度曲線であって、図３に示された再帰反射体に多様な方向から光を入射させた場合の再帰反射係数値を等値線図で表現したものである。図５に示されているように、再帰反射シートの正面方向からＹ軸方向に入射角の変化を与える時に、その入射角が４０度以上になる場合にも、ある程度の再帰反射性能が確保され、Ｘ軸方向に入射角の変化を与える時にも、Ｙ軸方向に入射角の変化を与える場合よりは低いが再帰反射性能が向上する。即ち、Ｘ軸とＹ軸に対しては比較的広いアンギュラリティを得ることができる。
しかし、ＸとＹ軸の中間方向であるＫ軸に対しては、非常に狭いアンギュラリティを有するという問題点があった。
【００１２】
図６は、再帰反射シートの一面をなしているキューブコーナーが正三角錐である場合と、光軸が再帰反射シートの正面から９．２゜だけ傾くように正三角錐から変形させた場合との、各々に対して入射光の角度を変化させながら測定した再帰反射性能を示したグラフである。この時、キューブコーナーが正三角錐である場合には、Ｘ軸及びＹ軸に対して入射光の角度を変化させながら再帰反射性能を測定し、キューブコーナーの光軸を９．２゜だけ傾けた場合には、Ｘ軸、Ｙ軸及びＫ軸に対して入射光の角度を変化させながら再帰反射性能を測定した。前述のように、キューブコーナーの光軸を傾けると、Ｘ軸及びＹ軸方向の全てに対して正面と近い方向には、再帰反射性能が劣るが、より広いアンギュラリティを確保することができる。しかし、光軸を傾けた場合には、Ｘ軸及びＹ軸方向への広いアンギュラリティに比べてＫ軸方向には狭いアンギュラリティを有する。
【００１３】
前記のように、米国特許第４５８８２５８号でキューブコーナーの光軸を約７〜１３゜傾けたこととは異なり、光軸を負の角度に傾ける方法もある。米国特許第２３１０７９０号には、キューブコーナーの光軸を約−７．４゜傾けることによって、光軸を含む面に対して垂直な方向で入射する光に対するアンギュラリティを向上させ得ることが開示されている。
【００１４】
しかし、このような光軸の傾き角度は、特定の入射方向に対しては、再帰反射性能を向上させるが、その他の多様な入射方向に対しては、再帰反射性能の向上を期待することができない。このような問題を解決するための方法には、タイリング法があり、これは、一つの入射方向に対して再帰反射性能が優れた再帰反射体を、方向性を与えながらタイリングすることで多様な入射方向に対して再帰反射性能を向上させようとするものである。しかし、タイリング法では全体的な明るさが低下するという短所があった。
【００１５】
前記のような方法は、光軸の傾き角度を上下方向にのみ変化させたものであって、結果的にキューブコーナーの底面は二等辺三角形の形態を有する。しかし、これとは異なり、光軸の傾き角度を上下及び左右方向に同時に変化させてキューブコーナーの底面を不等辺三角形の形態とすることによって、多様な入射方向に対して再帰反射性能を向上させる方法がある。一例として、米国特許第５８２２１２１号に開示された方法があり、この方法では不等辺三角形をキューブコーナーの底面とし、光軸の傾き角度を４゜乃至１５゜に調節した。しかし、この方法では、３つの形状のバイトでキューブコーナーの溝を加工しなければならないため、工程が煩雑であるという短所があった。また、不等辺三角形を底面に有するキューブコーナーの場合には、入射角が増加するに従って良好な再帰反射性能を確保することができないという短所があった。
【００１６】
また、他の方法として、大きさの異なるキューブコーナーを組み合わせる方法がある。米国特許第５８４０４０６号では、キューブコーナーから一部分を除去することによって大きさの異なるキューブコーナーが一緒に配列されるようにし、寸法の小さなキューブコーナーに自然に生成された面を通じて内部光が透過することができる機能を有するようにした。また、米国特許第５１２２９０２号でも内部照明の透過が可能なように切断されたキューブコーナーを使用したが、この切断された面は、平面であるか曲面になるようにした。しかし、このような方法は、入射した光の一部分を透過させることを目的とするため、再帰反射する光の絶対的な明るさが低下する問題点があった。
【００１７】
【発明が解決しようとする課題】
本発明は、前記のような問題点を解決するためになされたものであって、その目的は、優れた再帰反射性能及びより広いアンギュラリティを方向に拘らずに得ることができる再帰反射体を提供することにある。
【００１８】
【課題を解決するための手段】
前記のような目的を達成するために、本発明による再帰反射体は、平らな前面と凹凸部を有するように加工された後面とを含み、前記後面の凹凸部が、相互に垂直で一点を共通の頂点にする三つの三角形の連続的な配列及び前記三つの三角形の縁部のうちの互いに共有されない縁部の少なくとも一つ以上に沿って配列された線状の三角プリズムを含む。
【００１９】
この時、前記三つの三角形の縁部のうち、互いに共有されない縁部は、同一面に存在しても、同一面に存在しなくてもよい。
【００２０】
また、前記再帰反射体は、屈折率が１．４〜１．７である物質からなることが好ましい。
【００２１】
また、前記実質的にキューブコーナー形状をなす多面体の光軸は、前記再帰反射体の前面に垂直な軸と−１５゜〜１５゜となることが好ましい。
【００２２】
また、前記線状の三角プリズムが、前記実質的にキューブコーナー形状をなす多面体の底面の縁部の少なくとも一つ以上に沿って配列される時、一つの縁部に対して少なくとも一つ以上の線状の三角プリズムが配列されることが好ましい。
【００２３】
また、前記実質的にキューブコーナー形状をなす多面体の底面の縁部は、互いに異なる長さを有することが好ましい。
【００２４】
【発明の実施の形態】
以下、本発明について添付図面を参照して詳細に説明する。
【００２５】
本発明による再帰反射体は、ガラス、ＰＭＭＡ（ｐｏｌｙｍｅｔｈｙｌ  ｍｅｔａｃｒｙｌａｔｅ）のように光学的に透明で屈折率が１．４〜１．７である物質から形成され、通常、シート形態に製作され、シートの前面は平らで後面は凹凸部を有するように加工されている。
【００２６】
本発明では、ガラス、ＰＭＭＡ、ポリカーボネート、紫外線硬化樹脂、またはアクリルなどのように光学的に透明で屈折率が１．４〜１．７である物質を使用し、前記のような凹凸部を有するように再帰反射体の後面を加工する方法は、従来技術と同様、前記物質に溝を形成する方法である。
【００２７】
図７は、本発明の一具体例であって、後面が凹凸部を有するように加工された再帰反射体の平面図である。図７に示されているように、本発明では、再帰反射体の後面に加工された凹凸部が、相互に垂直で一点を共通の頂点１０とする三つの三角形１１α、１１β、１１γの連続的な配列だけでなく、三角柱形態のプリズム１２α、１２βを含む。また、三角柱形態のプリズム１２α、１２βは、三つの三角形１１α、１１β、１１γの縁部のうち、互いに共有されない縁部１３α、１３β、１３γの少なくとも一つに沿って配列される。この時、相互に垂直である三つの三角形１１α、１１β、１１γが、一点を共通の頂点１０として連続的に配列されると前述のキューブコーナーと類似した形状をなすようになり、従って、三角柱形態のプリズム１２α、１２βは、キューブコーナーの底面三角形の縁部に沿って線状に配列される。キューブコーナーと類似した形状であるとした理由は、本発明の具体例によっては、キューブコーナーとは異なる形状になることがあるためで、これについては、後述することにする。つまり、本発明では再帰反射体の一面が、キューブコーナーと類似した形状であるだけではなく、三角柱形態のプリズム形状をも有するように加工する。以下、このような三角柱形態のプリズムを、線状の三角プリズムと称する。
【００２８】
線状の三角プリズムが配列された方向に対して垂直な方向に、再帰反射体のアンギュラリティが向上する。図７には、三つの三角形１１α、１１β、１１γの縁部中の互いに共有されない三つの縁部１３α、１３β、１３γのうち、Ｙ軸に垂直な方向の縁部１３βに対しては二つのプリズム１２βが一対をなして配列されており、残り二つの縁部１３α、１３γに沿っては、一つのプリズム１２αが配列されている。このように、線状の三角プリズムが縁部に沿って配列される時、プリズムの個数は一つの縁部に対して一つ以上であればよく、これは以後の他の具体例でも同様に適用される。
【００２９】
また、前記共通の頂点１０から三つの三角形と同一の角度をなすように傾いて、前記再帰反射体の前面に向って延長された軸を光軸と定義すると、光軸は再帰反射体の正面方向と必ず一致する必要はなく、−１５゜乃至１５゜をなすことが好ましい。また、線状の三角プリズムに対しても、二つの側面が共有する縁部上のいずれか一点から二つの側面と同一な角度をなすように傾いて、前記再帰反射体の前面に向って延長された軸を光軸と定義すると、プリズムの光軸は、再帰反射体の正面方向と必ず一致する必要がなく任意の角度をなす。これは以後の他の具体例でも同様に適用される。このような光軸の傾斜角は、図７の２ａ及び２ｂ線に沿って切断した断面図である図８ａ及び図８ｂによく示されている。
【００３０】
図８ａ及び図８ｂに示されているように、三角形の光軸Ｘ1、Ｘ1´及びプリズムの光軸Ｘ2、Ｘ2´は、再帰反射体の正面方向Ｆに対して所定の角度を有している。この時、図８ａの断面図を右側に継続して延長したことを仮定して説明すると、光軸Ｘ1´に続いてはＸ1に平行な方向に光軸を傾け、ここに続いて再び光軸Ｘ1´に平行な方向に光軸を傾けると再帰反射性能を向上させることができる。つまり、図８ａの断面図では、Ｘ1とＸ1´に平行な方向の光軸が反復的に現れるのが好ましく、このような反復性は、図８ｂの断面図においても同様である。また、図８ａには、二つが一対をなしたプリズム１２βが図示されており、図８ｂには、一つのプリズム１２αが図示されている。
【００３１】
そして、三つの三角形１１α、１１β、１１γの縁部のうち、互いに共有されない三つの縁部１３α、１３β、１３γは、互いに異なる長さを有することができ、これは以後の他の具体例に適用される。
【００３２】
また、特定の方向への再帰反射性能を向上させるために、三つの三角形１１α、１１β、１１γの縁部中の互いに共有されない三つの縁部１３α、１３β、１３γのうち、一つのみに沿って線状の三角プリズムを配列させることもできる。このような場合の再帰反射体の平面図が、図９に示されている。図９に示された再帰反射体は、Ｙ軸方向にのみ再帰反射性能を向上させるために、相互に垂直で一点を共通の頂点１０とする三つの三角形１１α、１１β、１１γの縁部中の互いに共有されない三つの縁部１３α、１３β、１３γのうち、Ｙ軸に垂直な縁部１３βに対してのみ一対のプリズム１２βが配列されている。
【００３３】
この時、三つの三角形１１α、１１β、１１γのうちのプリズム１２βが配列された一つの三角形１１βを除いた残り二つの三角形１１α、１１γを形成する時には、溝をより深く形成して全体的な配列が行われるようにする。この場合には、プリズムが配列されていない二つの縁部１３α、１３γが、プリズム１２βが配列された縁部１３βより深い位置に存在するため、結果的にキューブコーナーとは異なる形状になる。さらに、深く形成した溝によって発生する付加的な面積１４も再帰反射に関与するので全体的な再帰反射性能が向上する。
【００３４】
プリズムが配列された一つの縁部と、プリズムが配列されていない二つの縁部との深さが異なることは、図９の４ａ及び４ｂ線の断面図である図１０ａ及び図１０ｂによく示されている。図１０ａ及び図１０ｂに示されているように、プリズム１２βが配列された縁部１３βは、再帰反射体の前面からｔ1の厚さに存在し、プリズムが配列されていない縁部１３α、１３γは、ｔ2の厚さに存在する。
【００３５】
以下、本発明の実施例について説明する。
【００３６】
【実施例１】
屈折率が１．５８であるポリマー材料を用いて、図９に示されたような形状に加工して再帰反射体を製造した。この時、二つが一対をなす線状の三角プリズムの全体幅（図９のｐ1に該当）は１００μｍとし、各溝の間の間隔（図９のｇd、ｇvに該当）は、各々４４５μｍ及び４２３μｍとした。相互に垂直で一点を共通の頂点とする三つの三角形がなす多面体での光軸が、再帰反射体の正面方向と約３゜の角度をなすようにし、二つのプリズムの光軸は、再帰反射体の正面方向と各々Ｙ方向と−Ｙ方向に対して約１８゜の角度をなすようにした。この場合、相互に垂直で一点を共通の頂点とする三つの三角形の縁部中の隣接する二つの三角形によって共有されない三つの縁部のうち、線状の三角プリズムが配列された縁部と線状の三角プリズムが配列されていない縁部とに存在する深さの差異は、約１９．７２μｍであった。
【００３７】
実施例１による再帰反射体の再帰反射性能を電算機でシミュレートした結果が、図１１に示されている。図１１は、等光度曲線であって再帰反射体に多様な方向に光を入射させた場合の再帰反射係数値を等値線図で表現したものである。図１１に示されているように、等光度曲線は円形に近似した形態を現し、Ｘ軸方向、Ｙ軸方向、Ｘ軸とＹ軸との中間方向であるＫ軸方向に対して全て広いアンギュラリティが確保される。このような実施例１による再帰反射体の優れた性能は、従来の技術による再帰反射体に関する等光度曲線である図５と比較するとよりよく理解される。
【００３８】
図１２ａは、実施例１による再帰反射シートに対してＸ軸及びＹ軸の方向に入射光の角度を変化させて測定した再帰反射性能を示したグラフであって、前述の米国特許第４５８８２５８号の結果である、図６のグラフ中のＸ軸及びＹ軸方向に対する結果を共に図示して比較した。これから、実施例１による再帰反射体が、９．２゜傾いた光軸を有するキューブコーナーのみを利用した従来の技術より、Ｘ軸及びＹ軸方向に対して再帰反射性能が優れていることが分かる。
【００３９】
図１２ｂは、実施例１による再帰反射シートに対してＫ軸方向に入射光の角度を変化させて測定した再帰反射性能を示したグラフであって、前述の米国特許第４５８８２５８号の結果である、図６のグラフ中のＫ軸方向に対する結果を共に図示して比較した。これから、実施例１による再帰反射体が、９．２゜傾いた光軸を有するキューブコーナーのみを利用した従来の技術よりＫ軸方向の再帰反射性能が優れており、特にアンギュラリティが大幅に向上することが分かる。
【００４０】
【実施例２】
屈折率が１．５８であるポリマー材料を使用して、図７に示されているような形状に加工して再帰反射体を製造した。この時、Ｙ軸に垂直な方向に二つが一対をなす線状の三角プリズムの全体幅（図７のｐ1´に該当）を１００μｍとし、残り二つの方向に配列されるプリズムの幅（図７のｐ2´に該当）を約５２．６μｍに構成し、各溝の間の間隔（図７のｇd´、ｇv´に該当）は、各々６１５μｍ及び５８４μｍとした。Ｙ軸に垂直な方向に二つが一対をなした線状の三角プリズムは、Ｙ軸方向に対して広いアンギュラリティを確保するためのものである。相互に垂直で一点を共通の頂点とする三つの三角形がなす多面体での光軸が、再帰反射体の正面方向と約３゜の角をなすようにした。プリズムの光軸は、再帰反射体の正面方向と一致するようにした。
【００４１】
図１３は、実施例２による再帰反射シートに対してＸ軸及びＹ軸の方向に入射光の角度を変化させて測定した再帰反射性能を示したグラフであって、前述の米国特許第４５８８２５８号の結果である、図６のグラフ中のＸ軸及びＹ軸方向に対する結果を共に図示して比較した。これから、実施例２による再帰反射体が、傾いた光軸を有するキューブコーナーのみを利用した従来の技術より、Ｘ軸及びＹ軸方向に対して再帰反射性能が優れていると共に類似したアンギュラリティを有することが分かる。
【００４２】
【発明の効果】
本発明による再帰反射体は、従来の技術による再帰反射体より優れた再帰反射性能を有すると共に、より広いアンギュラリティを有する。
また、再帰反射性能がＸ軸、Ｙ軸に対してだけでなくその中間方向のＫ軸に対しても広いアンギュラリティを有する。これによって、再帰反射体を応用する時に、方向性に大きく制約を受けることがないので使用が便利になる。
そして、再帰反射体の設計時に変数の自由度が大きいため、応用分野に応じて差別化された再帰反射性能を有する再帰反射体を製造することができる。
【００４３】
【図面の簡単な説明】
【図１】  正三角錐形態のキューブコーナーが、一面上に連続的に配列されるように加工された再帰反射体の平面図である。
【図２】  図１に示された再帰反射体で、正面から０〜４０゜の傾斜をなす入射角で入射した光に対して再帰反射性能を測定した結果を示すグラフである。
【図３】  従来の技術による再帰反射体の平面図である。
【図４】  図４ａ及び図４ｂは、各々図３の１１ａ及び１１ｂ線による断面図である。
【図５】  図３に示された再帰反射体の再帰反射性能を電算機でシミュレートした結果を示す等光度曲線である。
【図６】  キューブコーナーが正三角錐である場合と、キューブコーナーの光軸が再帰反射シートの正面から９．２゜だけ傾くように正三角錐を変形した場合との、各々に対して入射光の角度を変化させて測定した再帰反射性能を示したグラフである。
【図７】  本発明の一具体例によって、後面が凹凸部を有するように加工された再帰反射体の平面図である。
【図８】  図８ａ及び図８ｂは、各々図７の２ａ及び２ｂ線による断面図である。
【図９】  本発明の他の具体例による一方向にのみ線状の三角プリズムが配列された再帰反射体の平面図である。
【図１０】  図１０ａ及び図１０ｂは、各々図９の４ａ及び４ｂ線による断面図である。
【図１１】  本発明の実施例１による再帰反射体の再帰反射性能を、電算機でシミュレートした結果を示す等光度曲線である。
【図１２】  図１２ａは、実施例１による再帰反射体に対してＸ軸及びＹ軸の方向に入射光の角度を変化させて測定した再帰反射性能を示したグラフであり、図１２ｂは、実施例１による再帰反射体に対してＫ軸方向に入射光の角度を変化させて測定した再帰反射性能を示したグラフである。
【図１３】  実施例２による再帰反射シートに対してＸ軸及びＹ軸の方向に入射光の角度を変化させて測定した再帰反射性能を示したグラフである。
【符号の説明】
１０  頂点
１１α、１１β、１１γ  三角形
１２α、１２β  プリズム
１３α、１３β、１３γ  縁部
【図１】
0003667693.tif 000002
【図２】
0003667693.tif 000003
【図３】
0003667693.tif 000004
【図４】
0003667693.tif 000005
【図５】
0003667693.tif 000006
【図６】
0003667693.tif 000007
【図７】
0003667693.tif 000008
【図８】
0003667693.tif 000009
【図９】
0003667693.tif 000010
【図１０】
0003667693.tif 000011
【図１１】
0003667693.tif 000012
【図１２】
0003667693.tif 000013
【図１３】
0003667693.tif 000014